(57)【要約】【課題】従来に比べて配筋作業性を向上させることのできる鉄筋コンクリートスラブの開口部補強構造を提供する。【解決手段】鉄筋コンクリートスラブＲＣＳの開口部補強構造は、鉄筋コンクリートスラブＲＣＳの開口部（スリーブ３に相当）を囲繞する囲繞補強筋４を含み、囲繞補強筋４は、平面視で八角形状に形成され、その一対の縦辺部４ａ、４ｂが鉄筋コンクリートスラブＲＣＳの主筋１に平行となり、かつ、その一対の横辺部４ｃ、４ｄが鉄筋コンクリートスラブＲＣＳの配力筋２に平行となるように設置される。【選択図】図１
2020097853.tif 000002
【特許請求の範囲】
【請求項１】
鉄筋コンクリートスラブの開口部を囲繞する囲繞補強筋を含み、
前記囲繞補強筋は、平面視で八角形状に形成され、その一対の縦辺部が前記鉄筋コンクリートスラブの主筋に平行となり、かつ、その一対の横辺部が前記鉄筋コンクリートスラブの配力筋に平行となるように設置される、
鉄筋コンクリートスラブの開口部補強構造。
【請求項２】
前記縦辺部は前記主筋又は前記主筋に平行な他の鉄筋に取り付けられ、前記横辺部は前記配力筋又は前記配力筋に平行な他の鉄筋に取り付けられる、請求項１に記載の鉄筋コンクリートスラブの開口部補強構造。
【請求項３】
前記開口部を挟むと共にそれぞれが前記主筋に平行な一対の縦補強筋をさらに含み、
前記囲繞補強筋は、前記一対の縦辺部が前記一対の縦補強筋に取り付けられると共に前記一対の横辺部が前記開口部を挟む二つの配力筋に取り付けられる、請求項１又は２に記載の鉄筋コンクリートスラブの開口部補強構造。
【請求項４】
前記開口部を挟むと共にそれぞれが前記配力筋に平行な一対の横補強筋をさらに含み、
前記囲繞補強筋は、前記一対の縦辺部が前記開口部を挟む二つ主筋に取り付けられると共に前記一対の横辺部が前記一対の横補強筋に取り付けられる、請求項１又は２に記載の鉄筋コンクリートスラブの開口部補強構造。
【請求項５】
前記開口部を挟むと共にそれぞれが前記主筋に平行な一対の縦補強筋と、
前記開口部を挟むと共にそれぞれが前記配力筋に平行な一対の横補強筋と、
をさらに含み、
前記囲繞補強筋は、前記一対の縦辺部が前記一対の縦補強筋に取り付けられると共に前記一対の横辺部が前記一対の横補強筋に取り付けられる、請求項１又は２に記載の鉄筋コンクリートスラブの開口部補強構造。
【請求項６】
鉄筋コンクリートスラブの開口部の周囲に設けられる開口補強筋であって、
平面視で八角形状に形成され、
前記開口部を囲繞し、一対の縦辺部が前記鉄筋コンクリートスラブの主筋又は前記主筋に平行な鉄筋に取り付けられ、かつ、一対の横辺部が前記鉄筋コンクリートスラブの配力筋又は前記配力筋に平行な鉄筋に取り付けられるように構成されている、
開口補強筋。
【発明の詳細な説明】
【技術分野】
【０００１】
本発明は、鉄筋コンクリートスラブの開口部補強構造及び開口補強筋に関する。
【背景技術】
【０００２】
鉄筋コンクリートスラブは、互いに平行な複数の主筋からなる主筋群と前記主筋に直交する複数の配力筋からなる配力筋群とを有している。また、前記鉄筋コンクリートスラブに開口部が設けられる場合、主に前記鉄筋コンクリートスラブの強度低下やひび割れの発生を防止しようとするため、前記開口部の周囲に開口補強筋が設置される。ここで、前記開口部とは、前記鉄筋コンクリートスラブの上面から下面までを貫通する貫通孔のことをいい、開孔と称される場合もある。また、前記開口部は、通常、スリーブ等を設置した状態でコンクリートが打設され、その後、スリーブ等が取り外されることによって形成される。
【０００３】
例えば、図１１に示されるように、鉄筋コンクリートスラブＲＣＳに開口部ＯＰが設けられる場合、開口部ＯＰを設けるために切断される主筋５１と同量の開口補強筋（以下「縦補強筋」という）５５が主筋５１に平行に設けられ、開口部ＯＰを設けるために切断される配力筋５２と同量の開口補強筋（以下「横補強筋」という）５６が配力筋５２に平行に設けられ、及び、主筋５１及び配力筋５２に対して傾斜した開口補強筋（以下「斜め補強筋」という）５７が開口部ＯＰの隅角部の近傍であって且つ下端筋と上端筋との間に設けられるのが一般的である。
【０００４】
また、開口部を有する鉄筋コンクリートスラブにおいて、コンクリート打設時の前記開口部近傍でのコンクリートの充填性の低下による強度低下を防止するため、前記開口補強筋を前記斜め補強筋のみで構成することによって前記開口部近傍における鉄筋の密集度を低下させることも提案されている（特許文献１参照）。
【先行技術文献】
【特許文献】
【０００５】
【特許文献１】特開２０１３−１１２９９９号公報
【発明の概要】
【発明が解決しようとする課題】
【０００６】
前者の場合、前記開口補強筋の数が多く、前記開口補強筋（特に、前記斜め補強筋）の設置作業に手間がかかるという課題がある。また、後者の場合、前者に比べて前記開口補強筋の数は少なくなるが、前記斜め補強筋のそれぞれを設置する必要があるため、依然として前記開口補強筋の設置作業に手間がかかる。
【０００７】
そこで、本発明は、従来に比べて配筋作業性を向上させることのできる鉄筋コンクリートスラブの開口部補強構造及び開口補強筋を提供することを目的とする。
【課題を解決するための手段】
【０００８】
本発明の一側面によると、鉄筋コンクリートスラブの開口部補強構造が提供される。この鉄筋コンクリートスラブの開口部補強構造は、鉄筋コンクリートスラブの開口部を囲繞する囲繞補強筋を含む。前記囲繞補強筋は、平面視で八角形状に形成されており、その一対の縦辺部が前記鉄筋コンクリートの主筋に平行となり、かつ、その一対の横辺部が前記鉄筋コンクリートの配力筋に平行となるように設置される。
【０００９】
本発明の他の側面によると、鉄筋コンクリートスラブの開口部の周囲に設けられる開口補強筋が提供される。この開口補強筋は、平面視で八角形状に形成されており、前記開口部を囲繞し、一対の縦辺部が前記鉄筋コンクリートスラブの主筋又は前記主筋に平行な鉄筋に取り付けられ、かつ、一対の横辺部が前記鉄筋コンクリートの配力筋又は前記配力筋に平行な鉄筋に取り付けられるように構成されている。
【発明の効果】
【００１０】
八角形状に形成された前記囲繞補強筋又は前記開口補強筋の四つの斜辺部は、従来の斜め補強筋としての機能を有する。したがって、本発明によれば、従来の斜め補強筋を省略し又は削減することが可能となる。また、前記囲繞補強筋又は前記開口補強筋は、従来の斜め補強筋に比べて、その配置が容易である。このため、従来に比べて配筋作業性を向上させることができる。
【図面の簡単な説明】
【００１１】
【図１】第１実施形態に係る鉄筋コンクリートスラブの開口部補強構造を示す要部概略図である。
【図２】前記第１実施形態に係る鉄筋コンクリートスラブの開口部補強構造において用いられる開口補強筋としての囲繞補強筋の平面図である。
【図３】前記第１実施形態に係る鉄筋コンクリートスラブの開口部補強構造に対応する従来の鉄筋コンクリートスラブの開口部補強構造の一例を示す図である。
【図４】第２実施形態に係る鉄筋コンクリートスラブの開口部補強構造を示す要部概略図である。
【図５】前記第２実施形態に係る鉄筋コンクリートスラブの開口部補強構造に対応する従来の鉄筋コンクリートスラブの開口部補強構造の一例を示す図である。
【図６】第３実施形態に係る鉄筋コンクリートスラブの開口部補強構造を示す要部概略図である。
【図７】前記第３実施形態に係る鉄筋コンクリートスラブの開口部補強構造において用いられる開口補強筋としての囲繞補強筋の平面図である。
【図８】前記第３実施形態に係る鉄筋コンクリートスラブの開口部補強構造に対応する従来の鉄筋コンクリートスラブの開口部補強構造の一例を示す図である。
【図９】第４実施形態に係る鉄筋コンクリートスラブの開口部補強構造を示す要部概略図である。
【図１０】前記第４実施形態に係る鉄筋コンクリートスラブの開口部補強構造に対応する従来の鉄筋コンクリートスラブの開口部補強構造の一例を示す図である。
【図１１】従来の従来の鉄筋コンクリートスラブの開口部補強構造を説明するための図である。
【発明を実施するための形態】
【００１２】
本発明は、鉄筋コンクリートスラブの開口部補強構造及び開口補強筋を提供する。本発明による鉄筋コンクリートスラブの開口部補強構造は、鉄筋コンクリートスラブの開口部の周囲に設けられる開口補強筋として、前記開口部を囲繞する八角形状（好ましくは正八角形状）の囲繞補強筋を含む。前記囲繞補強筋は、前記鉄筋コンクリートスラブの下端筋側及び上端筋側のそれぞれに設けられる。もちろん、前記開口部補強構造は、必要に応じて、前記囲繞補強筋に加えて、主筋に平行な縦補強筋及び／又は配力筋に平行な横補強筋も前記開口補強筋として含み得る。
【００１３】
前記囲繞補強筋は、例えばあらかじめ所定の長さに切断された鋼棒（異形鋼棒を含む。以下同じ）を八角形状に折り曲げ、その後、前記鋼棒の両端部を突き合わせ溶接などによって接合して形成され得る。そして、前記囲繞補強筋は、前記開口部を囲繞し、その一対の縦辺部が前記鉄筋コンクリートスラブの主筋に平行となり、かつ、その一対の横辺部が前記鉄筋コンクリートスラブの配力筋に平行となるように設置される。具体的には、前記囲繞補強筋は、前記開口部を形成するためのスリーブを囲繞し、前記主筋に平行となり、かつ、前記配力筋に平行となるように配置され、前記鉄筋コンクリートスラブの他の鉄筋に取り付けられる。前記他の鉄筋は、主筋（下端主筋又は上端主筋）、配力筋（下端配力筋又は上端配力筋）、主筋に平行な縦補強筋、配力筋に平行な横補強筋などである。前記囲繞補強筋の前記他の鉄筋への取り付けは、基本的には、鉄筋結束機などを利用して（すなわち、結束によって）行われる。そして、コンクリート打設後に前記スリーブが外されることによって前記開口部が形成される。
【００１４】
前記他の鉄筋に取り付けられた（結束された）前記囲繞補強筋の四つの斜辺部は、従来の斜め補強筋としての機能を有する。したがって、前記囲繞補強筋が前記開口補強筋として用いられることにより、従来の斜め補強筋を省略し又は削減することが可能となる。また、前記囲繞補強筋は、従来の斜め補強筋に比べて、その配置や前記他の鉄筋への取り付け（結束）などが容易である。このため、本発明によれば、補強不十分になることを防止しつつ、従来に比べて前記開口補強筋の設置作業の手間を大幅に軽減することができる。
【００１５】
以下、本発明による鉄筋コンクリートスラブの開口部補強構造のいくつかの実施形態について図面を参照して説明する。なお、以下の各実施形態では、前記鉄筋コンクリートスラブの上端筋と下端筋とのうち主に下端筋側の構成について説明する。
【００１６】
［第１実施形態］
図１は、第１実施形態に係る鉄筋コンクリートスラブの開口部補強構造を示す要部概略図であり、コンクリート打設前の下端筋側の構成を示している。鉄筋コンクリートスラブＲＣＳは、互いに平行な複数の主筋１からなる主筋群Ｇ１と、主筋１に直交する複数の配力筋２からなる配力筋群Ｇ２と、を有する。ここでは下端筋側の構成であるので、配力筋群Ｇ２が主筋群Ｇ１の上側に設けられている。
【００１７】
主筋１及び配力筋２には同径の鋼棒が用いられ、主筋１のピッチと配力筋２のピッチとは等しく設定されている。したがって、隣り合う二つの主筋１の内寸（内側の寸法）＝隣り合う二つの配力筋２の内寸であり、隣り合う二つの主筋１の外寸（外側の寸法）＝隣り合う二つの配力筋２の外寸である。具体的には、本実施形態において、主筋１の直径及び配力筋２の直径は約１０ｍｍ（Ｄ１０）であり、主筋１のピッチ及び配力筋２のピッチは２００ｍｍ（＠２００）であり、隣り合う二つの主筋１の内寸（隣り合う二つの配力筋２の内寸）≒１９０ｍｍであり、隣り合う二つの主筋１の外寸（隣り合う二つの配力筋２の外寸）≒２１０ｍｍである。なお、隣り合う二つの主筋１（配力筋２）の内寸を「Ｓａ」とし、隣り合う二つの主筋１（配力筋２）の外寸を「Ｓｂ」とする。
【００１８】
本実施形態において、鉄筋コンクリートスラブＲＣＳには、上面から下面までを貫通する円形の開口部（以下「第１開口部」という）が設けられる。このため、図１に示されるように、第１開口部を形成するためのスリーブ３が設置される。すなわち、スリーブ３が占める領域が第１開口部に相当する。
【００１９】
スリーブ３の外径（＝第１開口部の径）ｄ１は、隣り合う二つの主筋１の内寸（＝隣り合う二つの配力筋２の内寸）Ｓａよりも小さく設定される。具体的には、本実施形態において、スリーブ３の外径（＝第１開口部の径）ｄ１は１５０ｍｍであり、スリーブ３は隣り合う二つの主筋１と隣り合う二つの配力筋２とによって囲まれる矩形（正方形）領域内に設置されている。つまり、本実施形態において、スリーブ３は主筋１及び配力筋２が切断されることなく設置される。換言すれば、第１開口部は主筋１及び配力筋２が切断されることなく形成される。
【００２０】
また、本実施形態においては、前記開口補強筋として第１開口部を囲繞する囲繞補強筋４が用いられる。囲繞補強筋４は、主筋１及び配力筋２よりも大径の鋼棒を用いて形成されている。具体的には、囲繞補強筋４の直径は約１３ｍｍ（Ｄ１３）である。
【００２１】
図２は、囲繞補強筋４の平面図である。図２に示されるように、囲繞補強筋４は、平面視で正八角形状に形成されており、一対の縦辺部４ａ、４ｂと、一対の横辺部４ｃ、４ｄと、四つの斜辺部４ｅ〜４ｈと、を有する。また、囲繞補強筋４は、対向する二つの辺部の内寸Ａ１がスリーブ３の外径ｄ１よりも大きく、かつ、対向する二つの辺部の外寸Ｂ１が隣り合う二つの主筋１の外寸（＝隣り合う二つの配力筋２の外寸）Ｓｂとほぼ等しくなるように形成されている。
【００２２】
囲繞補強筋４は、スリーブ３（すなわち、第１開口部）を囲繞し、一対の縦辺部４ａ、４ｂが主筋１に平行となり、かつ、一対の横辺部４ｃ、４ｄが配力筋２に平行となるように配置される。そして、囲繞補強筋４は、一対の縦辺部４ａ、４ｂがスリーブ３（第１開口部）のすぐ外側に位置する二つの主筋１ａ、１ｂに取り付けられ、一対の横辺部４ｃ、４ｄがスリーブ３（第１開口部）のすぐ外側に位置する二つの配力筋２ａ、２ｂに取り付けられる。具体的には、本実施形態において、スリーブ３（第１開口部）のすぐ外側に位置する二つの配力筋２ａ、２ｂが互いの間隔を広げるように変形され、一対の縦辺部４ａ、４ｂは二つの主筋１ａ、１ｂ上に配置されて二つの主筋１ａ、１ｂに結束され、一対の横辺部４ｃ、４ｄは二つの配力筋２ａ、２ｂの内側に配置されて二つの配力筋２ａ、２ｂに結束される。なお、必要に応じて、スリーブ３（第１開口部）のすぐ外側に位置する二つの主筋１ａ、１ｂも互いの間隔を広げるように変形され得る。
【００２３】
なお、上端筋側の場合、主筋群Ｇ１が配力筋群Ｇ２の上側に設けられる。このため、上端筋側の場合、スリーブ３（第１開口部）のすぐ外側に位置する二つの主筋が互いの間隔を広げるように変形され、囲繞補強筋４は、一対の横辺部４ｃ、４ｄがスリーブ３（第１開口部）のすぐ外側に位置する二つの配力筋の上に配置されて当該二つの配力筋に結束され、一対の縦辺部４ａ、４ｂがスリーブ３（第１開口部）のすぐ外側に位置する二つの主筋の内側に配置されて当該二つの主筋に結束される。上端筋の場合も、必要に応じて、スリーブ３（第１開口部）のすぐ外側に位置する二つの配力筋２ａ、２ｂも互いの間隔を広げるように変形され得る。
【００２４】
図３は、第１実施形態に係る鉄筋コンクリートスラブの開口部補強構造に対応する従来の鉄筋コンクリートスラブの開口部補強構造の一例を示す図である。第１実施形態と共通する要素については同一の符号を用いてその説明は省略する。図３に示されるように、従来の開口部補強構造においては前記開口補強筋として八つの斜め補強筋７が用いられていた。八つの斜め補強筋７は、所定の長さを有し、主筋１及び配力筋２に対して傾斜しており、下端筋と上端筋との間においてスリーブ３（第１開口部）を囲むように設置される。この場合、作業者は、前記開口補強筋（八つの斜め補強筋７）を設けるため、所定の長さに切断された８本の鋼棒のそれぞれを主筋１及び配力筋２に対して傾斜させて適切な位置に配置すると共に、８本の鋼棒のそれぞれを主筋１及び／又は配力筋２に結束する必要がある。このため、前記開口補強筋の設置作業に手間がかかる。
【００２５】
これに対し、第１実施形態に係る鉄筋コンクリートスラブの開口部補強構造では、８本の鋼棒を斜め補強筋７として設置することに代えて、下端筋側及び上端筋側のそれぞれにスリーブ３（第１開口部）を囲繞する囲繞補強筋４を設置すればよい。囲繞補強筋４の設置（配置及び結束）は、８本の鋼棒（すなわち、斜め補強筋７）の設置に比べて容易である。したがって、第１実施形態に係る鉄筋コンクリートスラブの開口部補強構造（図１）によれば、従来の鉄筋コンクリートスラブの開口部補強構造（図３）に比べて、開口補強筋の設置作業の手間が大幅に軽減され、配筋作業性が向上する。
【００２６】
［第２実施形態］
図４は、第２実施形態に係る鉄筋コンクリートスラブの開口部補強構造を示す要部概略図であり、コンクリート打設前の下端筋側の構成を示している。第１実施形態（図１）と共通する要素については同一の符号を用いてその説明は省略する。第１実施形態（図１）と第２実施形態（図４）との主な相違は、次のとおりである。すなわち、第１実施形態においては一つの第１開口部が設けられ又は複数の第１開口部が互いに十分な間隔をあけて設けられる。このため、第１開口部は主筋１及び配力筋２が切断されることなく形成される。これに対し、第２実施形態においては二つの第１開口部が近接して設けられ、二つの第１開口部のうちの一方の第１開口部は主筋１及び配力筋２が切断されることなく形成されるが、他方の第１開口部は配力筋２が切断されることによって形成される。
【００２７】
本実施形態においては、図４に示されるように、鉄筋コンクリートスラブＲＣＳに二つの第１開口部を形成するため、第１実施形態におけるスリーブ３と同形状の第１、第２スリーブ３Ａ、３Ｂが設置される。前記一方の第１開口部を形成するための第１スリーブ３Ａは、第１実施形態におけるスリーブ３と同様に、隣り合う二つの主筋１と隣り合う二つの配力筋２とによって囲まれる矩形（正方形）領域内に設置される。すなわち、第１スリーブ３Ａは主筋１及び配力筋２が切断されることなく設置される。但し、前記他方の第１開口部を形成するための第２スリーブ３Ｂは配力筋２ｃが切断されることによって設置される（第２スリーブ３Ｂを設置するために配力筋２ｃが切断される）。
【００２８】
また、本実施形態においては、前記開口補強筋として、配力筋２に平行な一対の横補強筋６、６と、前記一方の第１開口部を囲繞する第１囲繞補強筋４Ａと、前記他方の第１開口部を囲繞する第２囲繞補強筋４Ｂと、が用いられる。第１、第２囲繞補強筋４Ａ、４Ｂは、第１実施形態における囲繞補強筋４（図２）と同じものである。横補強筋６は、主筋１及び配力筋２よりも大径の鋼棒で形成されており、囲繞補強筋４、４Ａ、４Ｂと同様にその直径は約１３ｍｍ（Ｄ１３）である。
【００２９】
一対の横補強筋６、６は、所定の長さを有しており、主筋群Ｇ１の上側において第２スリーブ３Ｂ（前記他方の第１開口部）を挟んで設置される。具体的には、一対の横補強筋６、６は、配力筋２に平行であり、第２スリーブ３Ｂ（前記他方の第１開口部）を挟み、かつ、その内寸が第２囲繞補強筋４Ｂ（＝囲繞補強筋４）の対向する二つの辺部の外寸Ｂ１とほぼ等しくなるように配置され、それぞれが複数の主筋１に取り付けされる（結束される）。
【００３０】
第１囲繞補強筋４Ａは、第１実施形態における囲繞補強筋４と同様に設置される。すなわち、第１囲繞補強筋４Ａは、第１スリーブ３Ａ（前記一方の第１開口部）を囲繞し、一対の縦辺部４ａ、４ｂが主筋１に平行となり、かつ、一対の横辺部４ｃ、４ｄが配力筋２に平行となるように配置される。そして、第１囲繞補強筋４Ａは、一対の縦辺部４ａ、４ｂが第１スリーブ３Ａ（前記一方の第１開口部）のすぐ外側に位置する二つの主筋１ａ、１ｂに取り付けられ、一対の横辺部４ｃ、４ｄが第１スリーブ３Ａ（前記一方の第１開口部）のすぐ外側に位置する二つの配力筋２ａ、２ｂに取り付けられる。本実施形態においても、第１スリーブ３Ａ（前記一方の第１開口部）のすぐ外側に位置する二つの配力筋２ａ、２ｂが互いの間隔を広げるように変形され、一対の縦辺部４ａ、４ｂは二つの主筋１ａ、１ｂ上に配置されて二つの主筋１ａ、１ｂに結束され、一対の横辺部４ｃ、４ｄは二つの配力筋２ａ、２ｂの内側に配置されて二つの配力筋２ａ、２ｂに結束される。なお、必要に応じて、第１スリーブ３Ａ（前記一方の第１開口部）のすぐ外側に位置する二つの主筋１ａ、１ｂも互いの間隔を広げるように変形され得る。
【００３１】
第２囲繞補強筋４Ｂは、第２スリーブ３Ｂ（前記他方の第１開口部）を囲繞し、一対の縦辺部４ａ、４ｂが主筋１に平行となり、かつ、一対の横辺部４ｃ、４ｄが配力筋２に平行となるように配置される。そして、第２囲繞補強筋４Ｂは、一対の縦辺部４ａ、４ｂが第２スリーブ３Ｂ（前記他方の第１開口部）のすぐ外側に位置する二つの主筋１ａ、１ｂに取り付けられ、一対の横辺部４ｃ、４ｄが一対の横補強筋６、６に取り付けられる。具体的には、一対の縦辺部４ａ、４ｂは二つの主筋１ａ、１ｂ上に配置されて二つの主筋１ａ、１ｂに結束され、一対の横辺部４ｃ、４ｄは一対の横補強筋６、６の内側に配置されて一対の横補強筋６、６に結束される。なお、必要に応じて、第２スリーブ３Ｂ（前記他方の第１開口部）のすぐ外側に位置する二つの主筋１ａ、１ｂが互いの間隔を広げるように変形され得る。
【００３２】
なお、上端筋側の場合には、例えば次のように構成される。一対の横補強筋６、６は、配力筋２に平行であり、第２スリーブ３Ｂ（前記他方の第１開口部）を挟み、かつ、その外寸が第２囲繞補強筋４Ｂの対向する二つの辺部の外寸Ｂ１とほぼ等しくなるように配置され、それぞれが主筋１の配筋時に複数の主筋１と結束される。第１スリーブ３Ａ（前記一方の第１開口部）のすぐ外側に配置される二つの主筋が互いの間隔を広げるように変形され、第１囲繞補強筋４Ａは、一対の横辺部４ｃ、４ｄが第１スリーブ３Ａ（前記一方の第１開口部）のすぐ外側に位置する二つの配力筋の上に配置されて当該二つの配力筋に結束され、一対の縦辺部４ａ、４ｂが第１スリーブ３Ａ（前記一方の第１開口部）のすぐ外側に配置される二つの主筋に結束される。第２囲繞補強筋４Ｂは、一対の横辺部４ｃ、４ｄが一対の横補強筋６、６上に配置されて一対の横補強筋６、６に結束され、一対の縦辺部４ａ、４ｂが第２スリーブ３Ｂ（前記他方の第１開口部）のすぐ外側に配置される二つの主筋に結束される。
【００３３】
図５は、第２実施形態に係る鉄筋コンクリートスラブの開口部補強構造に対応する従来の鉄筋コンクリートスラブの開口部補強構造の一例を示す図である。第２実施形態と共通する要素については同一の符号を用いてその説明は省略する。図５に示されるように、従来の開口補強構造においては、前記開口補強筋として、一対の横補強筋６、６と、八つの第１斜め補強筋８Ａと、四つの第２斜め補強筋８Ｂと、が用いられていた。八つの第１斜め補強筋８Ａは、所定の長さを有し、主筋１及び配力筋２に対して傾斜しており、下端筋と上端筋との間において第１スリーブ３Ａ（前記一方の第１開口部）及び第２スリーブ３Ｂ（前記他方の第１開口部）を囲むように設置される。四つの第２斜め補強筋８Ｂは、第１斜め補強筋８Ａよりも長い所定の長さを有し、主筋１及び配力筋２に対して傾斜しており、下端筋と上端筋との間において第１スリーブ３Ａ（前記一方の第１開口部）と第２スリーブ３Ｂ（前記他方の第１開口部）との間に設置される。この場合、作業者は、八つの第１斜め補強筋８Ａ及び四つの第２斜め補強筋８Ｂを設けるため、所定の長さに切断された１２本の鋼棒のそれぞれを主筋１及び配力筋２に対して傾斜させて適切な位置に配置すると共に、１２本の鋼棒のそれぞれを主筋１及び／又は配力筋２に結束する必要がある。このため、前記開口補強筋の設置作業に手間がかかる。
【００３４】
これに対し、第２実施形態に係る鉄筋コンクリートスラブの開口部補強構造では、１２個の鋼棒を第１、第２斜め補強筋８Ａ、８Ｂとして設置することに代えて、下端筋側及び上端筋側のそれぞれに第１スリーブ３Ａ（前記一方の第１開口部）を囲繞する第１囲繞補強筋４Ａ及び第２スリーブ３Ｂ（前記他方の第１開口部）を囲繞する第２囲繞補強筋４Ｂを設置すればよい。第１、第２囲繞補強筋４Ａ、４Ｂの設置は、１２個の鋼棒（すなわち、第１、第２斜め補強筋８Ａ、８Ｂ）の設置に比べて容易である。したがって、第２実施形態に係る鉄筋コンクリートスラブの開口部補強構造（図４）によれば、従来の鉄筋コンクリートスラブの開口部補強構造（図５）に比べて、開口補強筋の設置作業の手間が大幅に軽減され、配筋作業性が向上する。
【００３５】
なお、第２実施形態に係る鉄筋コンクリートスラブの開口部補強構造において、前記他方の第１開口部は配力筋２が切断されることよって形成される。しかし、これに限られるものではない。前記他方の第１開口部は主筋１が切断されることによって形成されてもよい。この場合においては、一対の横補強筋６、６に代えて、主筋１に平行な一対の縦補強筋が用いられる。前記一対の縦補強筋は、所定の長さを有し、配力筋群Ｇ２の下側において第２スリーブ３Ｂ（前記他方の第１開口部）を挟んで設置される。そして、第２囲繞補強筋４Ｂは、第２スリーブ３Ｂ（前記他方の第１開口部）を囲繞し、一対の縦辺部４ａ、４ｂが主筋１に平行となり、かつ、一対の横辺部４ｃ、４ｄが配力筋２に平行となるように配置され、一対の縦辺部４ａ、４ｂが前記一対の縦補強筋に取り付けられ、一対の横辺部４ｃ、４ｄが第２スリーブ３Ｂ（前記他方の第１開口部）のすぐ外側に位置する二つの配力筋に取り付けられる。
【００３６】
また、第２実施形態に係る鉄筋コンクリートスラブの開口補強構造において、前記一方の第１開口部又は前記他方の第１開口部に近接する追加の第１開口部がさらに設けられてもよい。この場合、前記追加の第１開口部を形成されるために主筋１及び配力筋２のいずれが切断されるかに応じて、前記追加の第１開口部を囲繞する囲繞補強筋と、配力筋２に平行であり且つ前記追加の第１開口部を挟んで配置される一対の横補強筋又は主筋１に平行であり且つ前記追加の第１開口部を挟んで配置される一対の横補強筋と、が前記開口補強筋として適宜追加される。
【００３７】
［第３実施形態］
図６は、第３実施形態に係る鉄筋コンクリートスラブの開口部補強構造を示す要部概略図であり、コンクリート打設前の下端筋側の構成を示している。第１実施形態（図１）と共通する要素については同一の符号を用いてその説明は省略する。第１実施形態（図１）と第３実施形態（図６）との主な相違は、次のとおりである。すなわち、第１実施形態において、鉄筋コンクリートスラブＲＣＳには主筋１及び配力筋２が切断されることなく形成される第１開口部が設けられる。これに対し、第３実施形態において、鉄筋コンクリートスラブＲＣＳには第１開口部よりも開口面積の大きい開口部（以下「第２開口部」という）が設けられ、第２開口部は主筋１及び配力筋が切断されることによって形成される。
【００３８】
本実施形態においては、図６に示されるように、鉄筋コンクリートスラブＲＣＳに第２開口部を形成するためのスリーブ１３が設置される。すなわち、スリーブ１３が占める領域が第２開口部に相当する。
【００３９】
スリーブ１３の外径（すなわち、第２開口部の径）ｄ２は、隣り合う二つの主筋１の外寸（＝隣り合う二つの配力筋２の外寸）Ｓｂよりも大きく設定される。具体的には、本実施形態において、スリーブ１３の外径（＝第２開口部の径）ｄ２は３００ｍｍであり、スリーブ１３を設置するために、主筋１ａ、１ｂ及び配力筋２ａ、２ｂが切断される。つまり、本実施形態において、スリーブ１３は主筋１ａ、１ｂ及び配力筋２ａ、２ｂが切断されることによって設置される。換言すれば、第２開口部は主筋１ａ、１ｂ及び配力筋２ａ、２ｂが切断されることよって形成される。
【００４０】
また、本実施形態においては、前記開口補強筋として、主筋１に平行な一対の縦補強筋１５、１５と、配力筋２に平行な一対の横補強筋１６、１６と、第２開口部を囲繞する囲繞補強筋１４と、が用いられる。囲繞補強筋１４、縦補強筋１５及び横補強筋１６は、主筋１及び配力筋２よりも大径の鋼棒で形成されている。具体的には、囲繞補強筋１４、縦補強筋１５及び横補強筋１６の直径は約１３ｍｍ（Ｄ１３）である。
【００４１】
図７は、囲繞補強筋１４の平面図である。図７に示されるように、囲繞補強筋１４は、第１実施形態における囲繞補強筋４と同様、平面視で正八角形状に形成されており、一対の縦辺部１４ａ、１４ｂと、一対の横辺部１４ｃ、１４ｄと、四つの斜辺部１４ｅ〜１４ｈと、を有する。また、囲繞補強筋１４は、対向する二つの辺部の内寸Ａ２がスリーブ１３の外径ｄ２よりも大きく形成されている。なお、対向する二つの辺部の外寸は「Ｂ２」とする。
【００４２】
一対の縦補強筋１５、１５は、所定の長さを有しており、配力筋群Ｇ２の下側においてスリーブ１３（第２開口部）を挟んで設置される。具体的には、一対の縦補強筋１５、１５は、主筋１に平行であり、スリーブ１３（第２開口部）を挟み、かつ、その外寸が囲繞補強筋１４の対向する二つの辺部の外寸Ｂ２とほぼ等しくなるように配置され、それぞれが配力筋２の配筋時に複数の配力筋２と結束される。
【００４３】
一対の横補強筋１６、１６は、所定の長さを有しており、主筋群Ｇ１の上側においてスリーブ１３（第２開口部）を挟んで設置される。具体的には、一対の横補強筋１６、１６は、配力筋２に平行であり、スリーブ１３（第２開口部）を挟み、かつ、その内寸が囲繞補強筋１４の対向する二つの辺部の外寸Ｂ２とほぼ等しくなるように配置され、それぞれが複数の主筋１に取り付けられる（結束される）。
【００４４】
囲繞補強筋１４は、スリーブ１３（第２開口部）を囲繞し、一対の縦辺部１４ａ、１４ｂが主筋１に平行となり、かつ、一対の横辺部１４ｃ、１４ｄが配力筋２に平行となるように配置され、一対の縦辺部１４ａ、１４ｂが一対の縦補強筋１５、１５に取り付けられ、一対の横辺部１４ｃ、１４ｄが一対の横補強筋１６、１６に取り付けられる。具体的には、一対の縦辺部１４ａ、１４ｂは一対の縦補強筋１５、１５上に配置されて一対の縦補強筋１５、１５に結束され、一対の横辺部１４ｃ、１４ｄは一対の横補強筋１６、１６の内側に配置されて一対の横補強筋１６、１６に結束される。
【００４５】
なお、上端筋の場合には、例えば次のように構成される。一対の縦補強筋１５、１５は、主筋１に平行であり、スリーブ１３（第２開口部）を挟み、かつ、その内寸が囲繞補強筋１４の対向する二つの辺部の外寸Ｂ２とほぼ等しくなるように配置され、それぞれが複数の配力筋２に取り付けられる（結束される）。一対の横補強筋１６、１６は、配力筋２に平行であり、スリーブ１３（第２開口部）を挟み、かつ、その外寸が囲繞補強筋１４の対向する二つの辺部の外寸Ｂ２とほぼ等しくなるように配置され、それぞれが主筋１の配筋時に複数の主筋１と結束される。囲繞補強筋１４は、一対の横辺部１４ｃ、１４ｄが一対の横補強筋１６、１６上に配置されて一対の横補強筋１６、１６に結束され、一対の縦辺部１４ａ、１４ｂが一対の縦補強筋１５、１５の内側に配置されて一対の縦補強筋１５、１５に結束される。
【００４６】
図８は、第３実施形態に係る鉄筋コンクリートスラブの開口部補強構造に対応する従来の鉄筋コンクリートスラブの開口部補強構造の一例を示す図である。第３実施形態と共通する要素については同一の符号を用いてその説明は省略する。図８に示されるように、従来の開口部補強構造においては、前記開口補強筋として、一対の縦補強筋１５、１５と、一対の横補強筋１６、１６と、八つの斜め補強筋１７と、が用いられていた。八つの斜め補強筋１７は、所定の長さを有し、主筋１及び配力筋２に対して傾斜しており、下端筋と上端筋との間においてスリーブ１３（第２開口部）を囲むように設置される。したがって、作業者は、八つの補強筋１７を設けるために、所定の長さに切断された８本の鋼棒のそれぞれを主筋１及び配力筋２に対して傾斜させて適切な位置に配置すると共に、８本の鋼棒のそれぞれを主筋１、配力筋２、縦補強筋１５及び／又は横補強筋１６に結束する必要がある。このため、前記開口補強筋の設置作業に手間がかかる。
【００４７】
これに対し、第３実施形態に係る鉄筋コンクリートスラブの開口部補強構造では、８本の鋼棒を斜め補強筋１７として設置することに代えて、下端筋側及び上端筋側のそれぞれにスリーブ１３（前記第２開口部）を囲繞する囲繞補強筋１４を設置すればよい。したがって、第３実施形態に係る鉄筋コンクリートスラブの開口部補強構造（図６）によれば、従来の鉄筋コンクリートスラブの開口部補強構造（図８）に比べて、開口補強筋の設置作業の手間が大幅に軽減され、配筋作業性が向上する。
【００４８】
［第４実施形態］
図９は、第４実施形態に係る鉄筋コンクリートスラブの開口部補強構造を示す要部概略図であり、コンクリート打設前の下端筋側の構成を示している。第３実施形態（図６）と共通する要素については同一の符号を用いてその説明は省略する。第３実施形態（図６）と第４実施形態（図９）との主な相違は、次のとおりである。すなわち、第３実施形態においては一つの第２開口部が設けられ又は複数の第２開口部が互いに十分な間隔を開けて設けられる。これに対し、第４実施形態においては二つの第２開口部が近接して設けられる。
【００４９】
本実施形態においては、図９に示されるように、鉄筋コンクリートスラブＲＣＳに二つの第２開口部を形成するため、第３実施形態におけるスリーブ１３と同形状の第１、第２スリーブ１３Ａ、１３Ｂが設置される。二つの第２開口部のうちの一方の第２開口部を形成するための第１スリーブ１３Ａは、第３実施形態におけるスリーブ１３と同様、主筋１ａ、１ｂ及び配力筋２ａ、２ｂが切断されることによって設置され、他方の第２開口部を形成するための第２スリーブ１３Ｂは、主筋１ａ、１ｂ及び配力筋２ｃ、２ｄが切断されることによって設置される。換言すれば、前記一方の第２開口部は主筋１ａ、１ｂ及び配力筋２ａ、２ｂが切断されることよって形成され、前記他方の第２開口部は主筋１ａ、１ｂ及び配力筋２ｃ、２ｄが切断されることによって形成される。
【００５０】
また、本実施形態においては、前記開口補強筋として、主筋１に平行な一対の縦補強筋２５、２５と、配力筋２に平行な一対の第１横補強筋１６Ａ、１６Ａと、配力筋２に平行な一対の第２横補強筋１６Ｂ、１６Ｂと、前記一方の第２開口部を囲繞する第１囲繞補強筋１４Ａと、前記他方の第２開口部を囲繞する第２囲繞補強筋１４Ｂと、が用いられる。第１、第２囲繞補強筋１４Ａ、１４Ｂは、第３実施形態における囲繞補強筋１４と同じものであり、第１、第２横補強筋１６Ａ、１６Ｂは、第３実施形態における横補強筋１６と同じものである。縦補強筋２５は、第３実施形態における縦補強筋１５よりも長く形成されている。
【００５１】
一対の縦補強筋２５、２５は、配力筋群Ｇ２の下側において、第１スリーブ１３Ａ（前記一方の第２開口部）及び第２スリーブ１３Ｂ（前記他方の第２開口部）を挟んで設置される。具体的には、一対の縦補強筋２５、２５は、主筋１に平行であり、第１、第２スリーブ１３Ａ、１３Ｂ（二つの第２開口部）を挟み、かつ、その外寸が第１、第２囲繞補強筋１４Ａ、１４Ｂ（＝囲繞補強筋１４）の対向する二つの辺部の外寸Ｂ２とほぼ等しくなるように配置され、それぞれが配力筋２の配筋時に複数の配力筋２と結束される。
【００５２】
一対の第１横補強筋１６Ａ、１６Ａは、主筋群Ｇ１の上側において、第１スリーブ１３Ａ（前記一方の第２開口部）を挟んで設置される。具体的には、一対の第１横補強筋１６Ａ、１６Ａは、配力筋２に平行であり、第１スリーブ１３Ａ（前記一方の第２開口部）を挟み、かつ、その内寸が第１囲繞補強筋１４Ａ（＝囲繞補強筋１４）の対向する二つの辺部の外寸Ｂ２とほぼ等しくなるように配置され、それぞれが複数の主筋１に取り付けされる（結束される）。
【００５３】
一対の第２横補強筋１６Ｂ、１６Ｂは、主筋群Ｇ１の上側において、第２スリーブ１３Ｂ（前記他方の第２開口部）を挟んで設置される。具体的には、一対の第２横補強筋１６Ｂ、１６Ｂは、配力筋２に平行であり、第２スリーブ１３Ｂ（前記他方の第２開口部）を挟み、かつ、その内寸が第２囲繞補強筋１４Ｂ（＝囲繞補強筋１４）の対向する二つの辺部の外寸Ｂ２とほぼ等しくなるように配置され、それぞれが複数の主筋１に取り付けされる（結束される）。
【００５４】
第１囲繞補強筋１４Ａは、第１スリーブ１３Ａ（前記一方の第２開口部）を囲繞し、一対の縦辺部１４ａ、１４ｂが主筋１に平行となり、かつ、一対の横辺部１４ｃ、１４ｄが配力筋２に平行となるように配置され、一対の縦辺部１４ａ、１４ｂが一対の縦補強筋２５、２５に取り付けられ、一対の横辺部１４ｃ、１４ｄが一対の第１横補強筋１６Ａ、１６Ａに取り付けられる。具体的には、一対の縦辺部１４ａ、１４ｂは一対の縦補強筋２５、２５上に配置されて一対の縦補強筋２５、２５に結束され、一対の横辺部１４ｃ、１４ｄは一対の第１横補強筋１６Ａ、１６Ａの内側に配置されて一対の第１横補強筋１６Ａ、１６Ａに結束される。
【００５５】
第２囲繞補強筋１４Ｂは、第２スリーブ１３Ｂ（前記他方の第２開口部）を囲繞し、一対の縦辺部１４ａ、１４ｂが主筋１に平行となり、かつ、一対の横辺部１４ｃ、１４ｄが配力筋２に平行となるように配置され、一対の縦辺部１４ａ、１４ｂが一対の縦補強筋２５、２５に取り付けられ、一対の横辺部１４ｃ、１４ｄが一対の第２横補強筋１６Ｂ、１６Ｂに取り付けられる。具体的には、一対の縦辺部１４ａ、１４ｂは一対の縦補強筋２５、２５上に配置されて一対の縦補強筋２５、２５に結束され、一対の横辺部１４ｃ、１４ｄは一対の第２横補強筋１６Ｂ、１６Ｂの内側に配置されて一対の第２横補強筋１６Ｂ、１６Ｂに結束される。
【００５６】
なお、上端筋の場合には、例えば次のように構成される。一対の縦補強筋２５、２５は、主筋１に平行であり、第１、第２スリーブ１３Ａ、１３Ｂ（二つの第２開口部）を挟み、かつ、その内寸が第１、第２囲繞補強筋１４Ａ、１４Ｂ（＝囲繞補強筋１４）の対向する二つの辺部の外寸Ｂ２とほぼ等しくなるように配置され、それぞれが複数の配力筋２に取り付けられる（結束される）。一対の第１横補強筋１６Ａ、１６Ａは、配力筋２に平行であり、第１スリーブ１３Ａ（前記一方の第２開口部）を挟み、かつ、その外寸が第１囲繞補強筋１４Ａ（＝囲繞補強筋１４）の対向する二つの辺部の外寸Ｂ２とほぼ等しくなるように配置され、それぞれが主筋１の配筋時に複数の主筋１と結束される。一対の第２横補強筋１６Ｂ、１６Ｂは、配力筋２に平行であり、第２スリーブ１３Ｂ（前記他方の第２開口部）を挟み、かつ、その外寸が第２囲繞補強筋１４Ｂ（＝囲繞補強筋１４）の対向する二つの辺部の外寸Ｂ２とほぼ等しくなるように配置され、それぞれが主筋１の配筋時に複数の主筋１と結束される。さらに、第１囲繞補強筋１４Ａは、第１スリーブ１３Ａ（前記一方の第２開口部）を囲繞すると共に、一対の横辺部１４ｃ、１４ｄが一対の第１横補強筋１６Ａ、１６Ａ上に配置されて一対の第１横補強筋１６Ａ、１６Ａに結束され、一対の縦辺部１４ａ、１４ｂが一対の縦補強筋２５、２５の内側に配置されて一対の縦補強筋２５、２５に結束される。第２囲繞補強筋１４Ｂは、第２スリーブ１３Ｂ（前記他方の第２開口部）を囲繞すると共に、一対の横辺部１４ｃ、１４ｄが一対の第２横補強筋１６Ｂ、１６Ｂ上に配置されて一対の第２横補強筋１６Ｂ、１６Ｂに結束され、一対の縦辺部１４ａ、１４ｂが一対の縦補強筋２５、２５の内側に配置されて一対の縦補強筋２５、２５に結束される。
【００５７】
図１０は、第４実施形態に係る鉄筋コンクリートスラブの開口部補強構造に対応する従来の鉄筋コンクリートスラブの開口部補強構造の一例を示す図である。第４実施形態と共通する要素については同一の符号を用いてその説明は省略する。図１０に示されるように、従来の開口補強構造においては、前記開口補強筋として、一対の縦補強筋２５、２５と、一対の第１横補強筋１６Ａ、１６Ａと、一対の第２横補強筋１６Ｂ、１６Ｂと、八つの第１斜め補強筋１８Ａと、四つの第２斜め補強筋１８Ｂと、が用いられていた。八つの第１斜め補強筋１８Ａは、所定の長さを有し、主筋１及び配力筋２に対して傾斜しており、下端筋と上端筋との間において第１スリーブ１３Ａ（前記一方の第２開口部）及び第２スリーブ１３Ｂ（前記他方の第２開口部）を囲むように設置される。四つの第２斜め補強筋１８Ｂは、第１斜め補強筋１８Ａよりも長い所定の長さを有し、主筋１及び配力筋２に対して傾斜しており、下端筋と上端筋との間において第１スリーブ１３Ａ（前記一方の第２開口部）と第２スリーブ１３Ｂ（前記他方の第１開口部）との間に設置される。したがって、作業者は、八つの第１斜め補強筋１８Ａ及び四つの第２斜め補強筋１８Ｂを設けるため、所定の長さに切断された１２本の鋼棒のそれぞれを主筋１及び配力筋２に対して傾斜させて適切な位置に配置すると共に、１２本の鋼棒のそれぞれを主筋１、配力筋２、縦補強筋２５、第１横補強筋１６Ａ及び／又は第２横補強筋１６Ｂに結束する必要がある。このため、前記開口補強筋の設置作業に手間がかかる。
【００５８】
これに対し、第４実施形態に係る鉄筋コンクリートスラブの開口部補強構造では、１２本の鋼棒を第１、第２斜め補強筋１８Ａ、１８Ｂとして設置することに代えて、下端筋側及び上端筋側のそれぞれに第１スリーブ１３Ａ（前記一方の第２開口部）を囲繞する第１囲繞補強筋１４Ａ及び第２スリーブ１３Ｂ（前記他方の第２開口部）を囲繞する第２囲繞補強筋１４Ｂを設置すればよい。第１、第２囲繞補強筋１４Ａ、１４Ｂの設置は、１２個の鋼棒（すなわち、第１、第２斜め補強筋１８Ａ、１８Ｂ）の設置に比べて容易である。したがって、第４実施形態に係る鉄筋コンクリートスラブの開口部補強構造（図９）によれば、従来の鉄筋コンクリートスラブの開口部補強構造（図１０）に比べて、開口補強筋の設置作業の手間が大幅に軽減され、配筋作業性が向上する。
【００５９】
なお、第４実施形態に係る鉄筋コンクリートスラブの開口部補強構造において、前記他方の第２開口部が主筋１ｃ、１ｄ及び配力筋２ａ、２ｂが切断されることによって形成される場合には、一対の縦補強筋２５、２５、一対の第１横補強筋１６Ａ、１６Ａ及び一対の第２横補強筋１６Ｂ、１６Ｂに代えて、一対の第１縦補強筋、一対の第２縦補強筋及び一対の横補強筋が用いられる。前記一対の第１縦補強筋は、主筋１に平行であり、第１スリーブ１３Ａ（前記一方の第２開口部）を挟んで設置され、前記一対の第２縦補強筋は、主筋１に平行であり、第２スリーブ１３Ｂ（前記他方の第２開口部）を挟んで設置され、前記一対の横補強筋は、配力筋２に平行であり、第１スリーブ１３Ａ（前記一方の第２開口部）及び第２スリーブ１３Ｂ（前記他方の第２開口部）を挟んで設置される。
【００６０】
以上、本発明の実施形態及びその変形例について説明したが、本発明は上述の実施形態や変形例に限定されるものではなく、本発明の技術的思想に基づいて更なる変形や変更が可能である。
【符号の説明】
【００６１】
１…主筋
２…配力筋
３，３Ａ，３Ｂ，１３，１３Ａ，１３Ｂ…スリーブ
４，４Ａ，４Ｂ，１４，１４Ａ，１４Ｂ…囲繞補強筋
４ａ，４ｂ，１４ａ，１４ｂ…縦辺部
４ｃ，４ｄ，１４ｃ，１４ｄ…横辺部
４ｅ〜４ｈ，１４ｅ〜１４ｈ…斜辺部
６，１６，１６Ａ，１６Ｂ…横補強筋
１５，２５…縦補強筋
【図１】
2020097853.tif 000003
【図２】
2020097853.tif 000004
【図３】
2020097853.tif 000005
【図４】
2020097853.tif 000006
【図５】
2020097853.tif 000007
【図６】
2020097853.tif 000008
【図７】
2020097853.tif 000009
【図８】
2020097853.tif 000010
【図９】
2020097853.tif 000011
【図１０】
2020097853.tif 000012
【図１１】
2020097853.tif 000013